(57)【要約】【課題】物品に上方から梱包袋を被せる従来の生産工程との親和性が高く、かつ利用者が物品を容易に取り出すことを可能にする梱包袋の提供。【解決手段】梱包袋１００は、物品８００に上方から被せられる袋１１２の形状を有する第１部分１１０と、第１部分１１０に接続され、物品８００の底部から物品８００の頂部へ掛け回される第２部分１２０と、物品８００の頂部において互いに係り合う１対の第３部分１３１、１３２と、を備え、第３部分の一方１３１は、第１部分１１０に設けられ、利用者によって掴まれる取手であり、第３部分の他方１３２は、第２部分１２０に設けられ、取手である第３部分の前記一方１３１を通す孔である。【選択図】図１
2014205508.tif 000002
【特許請求の範囲】
【請求項１】
物品に上方から被せられる袋状の第１部分と、
前記第１部分に接続され、前記物品の底部から前記物品の頂部へ掛け回される第２部分と、
前記物品の頂部において互いに係り合う１対の第３部分と、
を備え、
前記１対の第３部分の一方は、前記第１部分及び前記第２部分のうちの何れか一方に設けられ、利用者によって掴まれる取手であり、
前記１対の第３部分の他方は、前記第１部分及び前記第２部分のうちの他方に設けられ、前記取手を通す孔である
物品の梱包袋。
【請求項２】
前記第２部分は、前記物品の頂部に被せられる袋を有し、
前記取手が、前記第１部分の袋の底に設けられ、
前記孔が、前記第２部分の袋の底に設けられる
請求項１に記載の物品の梱包袋。
【請求項３】
前記第１部分には、前記物品に被せられる袋の外側に、前記物品の付属品を収納するポケットが設けられている
請求項１又は２に記載の物品の梱包袋。
【請求項４】
前記第１部分の袋が、樹脂製の１枚のシート材の第１端を折り返して重なり合う領域を熱溶着することによって形成され、
前記第２部分の袋が、前記シート材の前記第１端に対向する第２端を折り返して重なり合う領域を熱溶着することによって形成される
請求項２に記載の物品の梱包袋。
【請求項５】
前記取手が、前記シート材の前記第１端を折り返して重なり合う領域によって形成され、
前記孔が、前記シート材の前記第２端を折り返して重なり合う領域の前記熱溶着がなされていない部分によって形成される
請求項４に記載の物品の梱包袋。
【発明の詳細な説明】
【技術分野】
【０００１】
本発明は物品を梱包する袋に関し、特に、物品を梱包した状態で物品とともに外箱に格納される梱包袋に関する。
【背景技術】
【０００２】
従来、生産工程において、出荷検査に合格した液晶テレビなどの物品は、所定の梱包を施して出荷される。ある典型的な例では、図８、９に示されるように、物品は梱包袋を被せられた状態で外箱に格納され出荷される。
【０００３】
図８は、物品８００に被せられた状態での従来の梱包袋９００の一例を示す斜視図である。図９は、梱包袋９００を用いた物品８００の梱包例を説明する斜視図である。物品８００は、一例として、液晶テレビであってもよい。
【０００４】
図８に示されるように、生産工程において出荷検査に合格した物品８００には、梱包袋９００が上方から被せられる。梱包袋９００は、ずれないように粘着テープ９０１で物品８００に止められる。そして、図９に示されるように、物品８００は、梱包袋９００が被せられた状態で、緩衝材９０２をあてがって外箱９０３に格納され出荷される。
【先行技術文献】
【特許文献】
【０００５】
【特許文献１】特開２００３−２４６３６６号公報
【発明の概要】
【発明が解決しようとする課題】
【０００６】
しかしながら、物品８００が大きくかつ重い液晶テレビである場合に、図９のような梱包では、利用者が物品８００を持ちにくく、外箱９０３から取り出しにくいという問題がある。そのため、物品８００を外箱９０３から取り出そうとする利用者が、例えば、物品８００の上端部を強く掴んで液晶パネルを割ってしまうといった事故が懸念される。
【０００７】
このような問題に対する１つの解決策は、上面から物品８００を出し入れする外箱９０３の代わりに、側面を解放できる外箱を使用することである。そのような外箱として、例えば、物品を載せる皿状の底部と、当該底部に載せた物品に上方から被せる本体部とからなる分離型の外箱が利用できる。
【０００８】
しかしながら、側面を開放できる外箱は、利用者による物品の取り出しを容易にする反面、図９に示されるような外箱９０３と比べて高価である。そのため、そのような外箱を使用することは、製品コストの増加要因になり得る。
【０００９】
前述の問題に対する他の解決策が、特許文献１に示唆されている。
【００１０】
特許文献１には、外箱に入れられた取手付き袋の中に物品を収容する包装箱が開示されている。当該取手付き袋は、薄い樹脂フィルムを、口に取手が付いた有底容器状に加工したものであり、当該外箱の中に広げられて収容されている。当該取手付き袋と当該外箱とは糊付けされておらず、取手を引っ張ると当該取手付き袋が外箱から簡単に抜けるようになっている。物品を持ち運ぶときには、外箱から当該物品が入った取手付き袋を取り出し、当該物品を持ち運ぶことができる。
【００１１】
特許文献１では、取手付き袋に入れられる物品としてカメラなどの小型の軽量物が想定されているが、より大きな取手付き袋に、液晶テレビなどの大型の重量物を入れて外箱に格納すれば、利用者が当該重量物を取り出しやすくなる可能性はある。
【００１２】
しかしながら、液晶テレビなどの大型の重量物を取手付き袋に入れる作業は、液晶テレビに上方から梱包袋を被せる従来の生産工程との親和性が低く、作業効率に劣る。例えば、液晶テレビを持ち上げて広げた取手付き袋の中に下ろすといった、従来の生産工程にはない作業や、当該作業用の治具が必要になり得る。このような生産工程の変更は、製品コストの増加要因になり得る。
【００１３】
本発明は、このような事情に鑑みてなされたものであり、物品に上方から梱包袋を被せる従来の生産工程との親和性が高く、かつ利用者が物品を容易に取り出すことを可能にする梱包袋を提供することを目的とする。
【課題を解決するための手段】
【００１４】
上記目的を達成するために、本発明の一態様に係る物品の梱包袋は、物品に上方から被せられる袋状の第１部分と、前記第１部分に接続され、前記物品の底部から前記物品の頂部へ掛け回される第２部分と、前記物品の頂部において互いに係り合う１対の第３部分と、を備え、前記１対の第３部分の一方は、前記第１部分及び前記第２部分のうちの何れか一方に設けられ、利用者によって掴まれる取手であり、前記１対の第３部分の他方は、前記第１部分及び前記第２部分のうちの他方に設けられ、前記取手を通す孔である。
【００１５】
このような構成によれば、前記梱包袋で前記物品を包んで外箱に格納することにより、利用者は、取手である前記第３部分の前記一方を持って、前記物品を前記外箱から容易に取り出すことが可能になる。また、前記梱包袋で前記物品を包む際には、前記第１部分を前記物品に上方から被せた後、例えば、前記第２部分を前記物品に一度敷き込んでから前記物品の反対側へ送ることによって、前記第２部分を前記物品の底部から頂部に容易に掛け回すことができる。したがって、前記梱包袋は、物品に上方から梱包袋を被せる従来の生産工程との親和性が高く、かつ利用者が物品を容易に取り出すことを可能にする。
【００１６】
また、前記第２部分は、前記物品の頂部に被せられる袋を有し、前記取手が、前記第１部分の袋の底に設けられ、前記孔が、前記第２部分の袋の底に設けられてもよい。
【００１７】
このような構成によれば、前述と同様の効果が得られる。
【００１８】
また、前記第１部分は、前記物品に被せられる袋の外側に、前記物品の付属品を収納するポケットを有してもよい。
【００１９】
このような構成によれば、利用者は、前記ポケットに収納された前記付属品を前記物品とともに取り出すことができるので、利便性がさらに向上する。
【００２０】
また、前記第１部分の袋が、樹脂製の１枚のシート材の第１端を折り返して重なり合う領域を熱溶着することによって形成され、前記第２部分の袋が、前記シート材の前記第１端に対向する第２端を折り返して重なり合う領域を熱溶着することによって形成されてもよい。
【００２１】
また、前記取手が、前記シート材の前記第１端を折り返して重なり合う領域によって形成され、前記孔が、前記孔が、前記シート材の前記第２端を折り返して重なり合う領域の前記熱溶着がなされていない部分によって形成されてもよい。
【００２２】
このような構成によれば、前記梱包袋を、１枚のシート材から構成することができる。
【発明の効果】
【００２３】
本発明によると、前記梱包袋で前記物品を包んで外箱に格納することにより、利用者は、取手である前記第３部分の前記一方を持って、前記物品を前記外箱から容易に取り出すことが可能になる。また、前記梱包袋で前記物品を包む際には、前記第１部分を前記物品に上方から被せた後、例えば、前記第２部分を前記物品に一度敷き込んでから前記物品の反対側へ送ることによって、前記第２部分を前記物品の底部から頂部に容易に掛け回すことができる。このように、前記梱包袋は、物品に上方から梱包袋を被せる従来の生産工程との親和性が高く、かつ利用者が物品を容易に取り出すことを可能にする。
【図面の簡単な説明】
【００２４】
【図１】実施の形態１に係る物品梱包状態での梱包袋の一例を示す斜視図
【図２】実施の形態１に係る物品梱包状態での梱包袋の一例を示す側面図及び正面図
【図３】実施の形態１に係る物品梱包状態での梱包袋の他の一例を示す側面図
【図４】実施の形態１に係る梱包袋の一例を示す展開図
【図５】実施の形態１に係る梱包袋の組立例を示す平面図及び側面図
【図６】実施の形態２に係る物品梱包状態での梱包袋の一例を示す正面図及び上面図
【図７】実施の形態３に係る物品梱包状態での梱包袋の一例を示す斜視図
【図８】従来の物品梱包状態での梱包袋の一例を示す斜視図
【図９】梱包袋の使用例を説明する斜視図
【発明を実施するための形態】
【００２５】
以下、本発明の実施の形態について、図面を用いて詳細に説明する。なお、以下で説明する実施の形態は、いずれも本発明の一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、独立請求項に記載されていない構成要素については、任意の構成要素として説明される。
【００２６】
（実施の形態１）
本発明の実施の形態１に係る梱包袋について、図面を参照して詳細に説明する。
【００２７】
図１は、物品梱包状態での梱包袋１００の一例を示す斜視図である。
【００２８】
図２の（ａ）、（ｂ）はそれぞれ、梱包袋１００の一例を示す側面図及び正面図である。
【００２９】
梱包袋１００は、物品８００を梱包した状態で物品８００とともに外箱（図示せず）に格納される梱包材である。梱包袋１００は、物品８００に上方から被せられる袋１１２の形状をした第１部分１１０と、第１部分１１０に接続され、物品８００の底部から物品８００の頂部へ掛け回される第２部分１２０と、第１部分１１０と第２部分１２０とのそれぞれに設けられ、物品８００の頂部において互いに係り合う１対の第３部分１３１、１３２と、を備えている。
【００３０】
第３部分１３１は、第１部分１１０に設けられ、利用者によって掴まれる取手であり、第３部分１３２は、第２部分１２０に設けられ、第３部分１３１を通す孔である。
【００３１】
第２部分１２０は、物品８００の頂部に被せられる袋１２２を有し、取手である第３部分１３１は、第１部分１１０の袋１１２の底に設けられ、孔である第３部分１３２は、第２部分１２０の袋１２２の底に設けられている。
【００３２】
梱包袋１００は、さらに、物品８００の付属品を収納するポケットを有してもよい。
【００３３】
図３は、そのようなポケットを有する梱包袋１０１の一例を示す側面図である。
【００３４】
梱包袋１０１では、梱包袋１００と比べて、第１部分１１０の、物品８００に被せられる袋１１２の外側に、物品８００の付属品８１０を収納するポケット１１３が追加されている。
【００３５】
物品８００及び付属品８１０は特に限定はされないが、一例として、液晶テレビ及び当該液晶テレビに付属するケーブルであってもよい。
【００３６】
梱包袋１００、１０１は、例えば、樹脂製の１枚のシート材から、折り返し、熱溶着、型抜きなどの処理によって形成されてもよい。梱包袋１００、１０１には、例えば、ポリエチレン、ポリプロピレン、ポリエステル、ナイロンの中からから選ばれる樹脂を用いてもよい。袋１１２、１２２、ポケット１１３は、折り返したシート材が、領域１１１、１２１において熱溶着されることによって形成されていてもよい。
【００３７】
図４は、梱包袋１０１が樹脂製の１枚のシート材１４０から形成される場合の、梱包袋１０１の展開図である。
【００３８】
図５の（ａ）、（ｂ）はそれぞれ、梱包袋１０１の組立例を示す平面図及び側面図である。
【００３９】
図４及び図５に示される例では、梱包袋１０１の各部は次のように形成される。
【００４０】
シート材１４０の第１端１４１を、破線に沿って谷折りに折り返し、一点鎖線に沿って山折りに折り返して、重なり合う領域１１１を熱溶着することによって、袋１１２及びポケット１１３が形成される。また、シート材１４０の第１端１４１に対向する第２端１４２を破線に沿って谷折りに折り返して、重なり合う領域１２１を熱溶着することによって、袋１２２が形成される。
【００４１】
取手である第３部分１３１が、シート材１４０の第１端１４１を折り返して重なり合う領域によって形成され、孔である第３部分１３２が、シート材１４０の第２端１４２を折り返して重なり合う領域の前記熱溶着がなされていない部分によって形成される。
【００４２】
上述のように構成された梱包袋１００又は１０１は、次のようにして用いられる。
【００４３】
第１部分１１０の袋１１２を、従来の梱包袋と同様に、物品８００に上方から被せ、第２部分１２０を、物品８００の底部から物品８００の頂部に掛け回し、第２部分１２０の袋１２２を、第１部分１１０の上から物品８００の頂部に被せる。そして、孔である第３部分１３２から取手である第３部分１３１を引き出すことによって、１対の第３部分１３１、１３２を互いに係合させる。
【００４４】
この工程において、第２部分１２０を、物品８００の底部をくぐらせて物品８００の反対側へ送るために、例えば、第２部分１２０を物品８００の底部近くに手繰り寄せ、物品８００を前後に少し倒しながら、前記手繰り寄せた第２部分１２０を物品８００に一度敷き込んで、物品８００の反対側へ送ってもよい。
【００４５】
そして、図９の従来例と同様に、梱包袋１００又は１０１が被せられた状態の物品８００を、緩衝材９０２をあてがって外箱９０３に格納し出荷する。
【００４６】
梱包袋１００又は１０１で物品８００を包んで外箱９０３に格納することにより、物品８００を購入した利用者は、外箱９０３を開き、上部の緩衝材９０２を外した後、取手である第３部分１３１を持って、物品８００を梱包袋１００又は１０１ごと外箱９０３から取り出すことができる。
【００４７】
また、梱包袋１００又は１０１で物品８００を包む際には、第１部分１１０を物品８００に上方から被せた後、例えば、第２部分１２０を物品８００に一度敷き込んでから物品８００の反対側へ送ることで、第２部分１２０を物品８００の底部から頂部に容易に掛け回すことができる。
【００４８】
このように、梱包袋１００又は１０１は、物品に上方から梱包袋を被せる従来の生産工程との親和性が高く、かつ利用者が物品を容易に取り出すことを可能にする。
【００４９】
（実施の形態２）
本発明の実施の形態２に係る梱包袋について、図面を参照して詳細に説明する。
【００５０】
図６の（ａ）、（ｂ）はそれぞれ、物品梱包状態での梱包袋２００の一例を示す側面図及び正面図である。
【００５１】
梱包袋２００は、物品８００に上方から被せられる袋２１２の形状をした第１部分２１０と、第１部分２１０に接続され、物品８００の底部から物品８００の頂部へ掛け回される第２部分２２０と、第１部分２１０と第２部分２２０とのそれぞれに設けられ、物品８００の頂部において互いに係り合う１対の第３部分２３１、２３２と、を備えている。
【００５２】
第３部分２３１は、第１部分２１０に設けられ、利用者によって掴まれる取手であり、第３部分２３２は、第２部分２２０に設けられ、第３部分２３１を通す孔である。
【００５３】
第２部分２２０は、物品８００の頂部に被せられる袋２２２を有している。取手である第３部分２３１は、第１部分２１０を構成するシート材とは別体のシート材を、袋２１２の底の領域２４１において第１部分２１０に熱溶着することによって設けられている。孔である第３部分２３２は、第２部分２２０の袋２２２の底に設けられている。
【００５４】
上述のように構成された梱包袋２００は、梱包袋１００又は１０１と同様にして、物品の梱包に用いられる。
【００５５】
梱包袋２００で物品８００を包んで外箱に格納することにより、利用者は、取手である第３部分２３１を持って、物品８００を外箱から容易に取り出すことが可能になる。
【００５６】
また、梱包袋２００で物品８００を包む際には、第１部分２１０を物品８００に上方から被せた後、例えば、第２部分２２０を物品８００に一度敷き込んでから物品８００の反対側へ送ることで、第２部分２２０を物品８００の底部から頂部に容易に掛け回すことができる。
【００５７】
このように、梱包袋２００は、物品に上方から梱包袋を被せる従来の生産工程との親和性が高く、かつ利用者が物品を容易に取り出すことを可能にする。
【００５８】
（実施の形態３）
本発明の実施の形態３に係る梱包袋について、図面を参照して詳細に説明する。
【００５９】
図７は、物品梱包状態での梱包袋３００の一例を示す斜視図である。梱包袋３００は、梱包袋１００、１０１と比べて、第２部分３２０がベルト形状を有し、かつ取手が第２部分３２０に設けられ、孔が第１部分３１０に設けられている点で異なっている。
【００６０】
梱包袋３００は、物品８００に上方から被せられる袋３１２の形状をした第１部分３１０と、第１部分３１０に接続され、物品８００の底部から物品８００の頂部へ掛け回される第２部分３２０と、第１部分３１０と第２部分３２０とのそれぞれに設けられ、物品８００の頂部において互いに係り合う１対の第３部分３３１、３３２と、を備えている。
【００６１】
第３部分３３１は、第２部分３２０に設けられ、利用者によって掴まれる取手であり、第３部分３３２は、第１部分３１０に設けられ、第３部分３３１を通す孔である。
【００６２】
第２部分３２０は、第１部分３１０を構成するシート材とは別体のシート材を、袋３１２の口の領域３２１において第１部分３１０に熱溶着することによって設けられている。第２部分３２０の終端部が、取手である第３部分３３１として機能する。孔である第３部分３３２は、第１部分３２０の袋３１２の底に設けられている。
【００６３】
上述のように構成された梱包袋３００は、梱包袋１００、１０１、又は２００と同様にして、物品の梱包に用いられる。
【００６４】
梱包袋３００で物品８００を包んで外箱に格納することにより、利用者は、取手である第３部分３３１を持って、物品８００を外箱から容易に取り出すことが可能になる。
【００６５】
また、梱包袋３００で物品８００を包む際には、第１部分３１０を物品８００に上方から被せた後、例えば、第２部分３２０を物品８００に一度敷き込んでから物品８００の反対側へ送ることで、第２部分３２０を物品８００の底部から頂部に容易に掛け回すことができる。
【００６６】
このように、梱包袋３００は、物品に上方から梱包袋を被せる従来の生産工程との親和性が高く、かつ利用者が物品を容易に取り出すことを可能にする。
【００６７】
以上、本発明の実施の形態に係る物品の梱包袋について説明したが、本発明は、この実施の形態に限定されるものではない。
【００６８】
実施の形態では、１対の第３部分を、取手と当該取手を通す孔の例で説明したが、第３部分は、取手と孔には限られない。ある変形例において、１対の第３部分は、例えば、物品８００の頂部において互いに結び合うことができ、かつ利用者が持つことができる紐状の部材であってもよい。
【００６９】
また、上記実施の形態及び上記変形例をそれぞれ組み合わせてもよい。
【産業上の利用可能性】
【００７０】
本発明に係る梱包袋は、物品を梱包した状態で物品とともに外箱に格納される梱包袋として利用できる。
【符号の説明】
【００７１】
１００、１０１、２００、３００、９００  梱包袋
１１０、２１０、３１０  第１部分
１１１、１２１、２４１、３２１  領域
１１２、１２２、２１２、２２２、３１２  袋
１１３  ポケット
１２０、２２０、３２０  第２部分
１３１、１３２、２３１、２３２、３３１、３３２  第３部分
１４０  シート材
１４１  第１端
１４２  第２端
８００  物品
８１０  付属品
９０１  粘着テープ
９０２  緩衝材
９０３  外箱
【図１】
2014205508.tif 000003
【図２】
2014205508.tif 000004
【図３】
2014205508.tif 000005
【図４】
2014205508.tif 000006
【図５】
2014205508.tif 000007
【図６】
2014205508.tif 000008
【図７】
2014205508.tif 000009
【図８】
2014205508.tif 000010
【図９】
2014205508.tif 000011